(57)【要約】      （修正有）【課題】バッテリーと電極コアとの電気的接続を、錆や接続不良の発生しない構成とした水中用の活性水素水発生装置を提供する。【解決手段】水中に入れた状態で、その水Ｗを電気分解して活性水素を発生させて活性水素水を作り出す装置１である。電源Ｂにリード線９を介して電気的に接続される電極コア８を、相平行する陽極電極棒８ａと陰極電極棒８ｂとを、同一平面上に複数本交互に並べたものを上下に複数段重ねて構成する。また、陽極電極棒８ａおよび陰極電極棒８ｂとリード線９との接続部Ｃを、非導電性合成樹脂製の筒状埋設部材１０に埋設し、その中空部１０ａに前記陽極電極棒８ａと陰極電極棒８ｂの両端を除く部分を配置してある。【選択図】図１
0003154865.tif 000002
【実用新案登録請求の範囲】
【請求項１】
水中に入れた状態で，その水（Ｗ）を電気分解して活性水素を発生させ，それによって活性水素水を作り出す装置であって、電源（Ｂ）にリード線（９）を介して電気的に接続される電極コア（８）を，相平行する陽極電極棒（８ａ）と陰極電極棒（８ｂ）とを，同一平面上に複数本交互に並べたものを上下に複数段重ねて構成し、前記陽極電極棒および陰極電極棒の両端及び前記リード線との接続部（Ｃ）を，非導電性合成樹脂製の埋設部材（１０）に埋設したことを特徴とする水中用活性水素水発生装置。
【請求項２】
水中に入れた状態で，その水（Ｗ）を電気分解して活性水素を発生させ，それによって活性水素水を作り出す装置であって、電源（Ｂ）にリード線（９）を介して電気的に接続される電極コア（８）を，相平行する陽極電極棒（８ａ）と陰極電極棒（８ｂ）とを、同一平面上に複数本交互に並べたものを上下に複数段重ねて構成し、前記陽極電極棒および陰極電極棒の両端及び前記リード線との接続部（Ｃ）を，非導電性合成樹脂製の埋設部材（１０）に埋設し、前記埋設部材を筒状とし，その中空部（１０ａ）に，前記陽極電極棒と陰極電極棒の両端を除く部分を配置したことを特徴とする水中用活性水素発発生装置。
【考案の詳細な説明】
【技術分野】
【０００１】
水槽などの水中に入れ、活性水素を発生させることによって、その水（湯を含む）を活性化させるための装置に関するものである。
【背景技術】
【０００２】
従来から、水道水などのいわゆる通常の水を電気分解して活性水素水を作る技術が存在する。この技術を利用した装置は、水道の蛇口近傍などに取付けられ、主として飲料水となる活性水素水を作るものである。
【０００３】
また、浴槽や水槽などの水中に入れ、水を活性化させることのできる装置もある（特許文献１参照）。
【０００４】
この装置は、浴槽等に入れると、それに取付けられている水感知センサーが浴槽内の水（湯）を感知し、それに基づく制御盤の信号によって、電源から電極コアに電力が供給される。これによって、電極コアを形成する陽極の電極棒と陰極の電極棒との間に、電気が流れて水が電気分解され、この電気分解によって活性水素が発生し、浴槽等の水から活性水素水を生成するものである。
【考案の概要】
【考案が解決しようとする課題】
【０００５】
前記装置は、浴槽や水槽などの水中に入れて使用し、活性水素を発生させることによって、水（湯）を効果的に活性化することができるといった極めて優れた効果を発揮する。
【０００６】
しかし、この装置には、少なくとも三つの点において改善の余地が残されている。一つは、電源と電極コアの電気的接続部である。すなわち、電源と電極コアとはリード線を介して半田付けやカシメによって電気的に接続されるが、この電気的接続部が水中に露出しているため錆が発生し易い。また電気的接続不良を起こし易いといった問題が発生する。
【０００７】
本考案はこうした問題に鑑み創案されたもので、電源と電極コアとの電気的接続を、錆や接続不良の発生しない水中用の活性水素水発生装置を提供することを課題とする。
【課題を解決するための手段】
【０００８】
図１乃至図３を参照して説明する。請求項１に記載の活性水素水発生装置１は、水中に入れた状態で、その水Ｗを電気分解して活性水素を発生させ、それによって活性水素水を作り出す装置であり、電源Ｂにリード線９を介して電気的に接続される電極コア８を、相平行する陽極電極棒８ａと陰極電極棒８ｂとを、同一平面上に複数本交互に並べたものを上下に複数段重ねて構成する。また、前記陽極電極棒８ａおよび陰極電極棒８ｂの両端及び前記リード線９との接続部Ｃを、非導電性合成樹脂製の埋設部材１０に埋設するものである。なお、２０は水槽，２１はリード線９中に挿入したスイッチである。
【０００９】
請求項２に記載の活性水素水発生装置１は、水中に入れた状態で、その水Ｗを電気分解して活性水素を発生させ、それによって活性水素水を作り出す装置であり、電源Ｂにリード線９を介して電気的に接続される電極コア８を、相平行する陽極電極棒８ａと陰極電極棒８ｂとを、同一平面上に複数本交互に並べたものを上下に複数段重ねて構成する。また、前記陽極電極棒８ａおよび陰極電極棒８ｂの両端及び前記リード線９との接続部Ｃを、非導電性合成樹脂製の埋設部材１０に埋設する。さらに、前記埋設部材１０を筒状とし、その中空部１０ａに、前記陽極電極棒８ａと陰極電極棒８ｂの両端を除く部分を配置するものである。
【考案の効果】
【００１０】
請求項１に記載の水中用活性水素水発生装置１は、電極コア８を形成する陽極電極棒８ａおよび陰極電極棒８ｂと対応するリード線９との接続部Ｃを、非導電性合成樹脂製の埋設部材１０に埋設したので、当該接続部Ｃを水中に露出させない。これにより、接続部Ｃに錆が発生したり、電気的接続不良が発生するのを未然に防止することができる。また、漏電を防止することもできる。
【００１１】
さらに、電極コア８を、相平行する陽極電極棒８ａと陰極電極棒８ｂとを、同一平面上に複数本交互に並べたものを上下に複数段重ねて構成したので、水素水の生成能力を向上させることができる。
【００１２】
請求項２に記載の水中用活性水素水発生装置１は、請求項１に記載の考案と同様の効果を発揮する。また、埋設部材１０を筒状とし、その中空部１０ａに、陽極電極棒８ａと陰極電極棒８ｂの両端を除く部分を配置したので、接続部Ｃを埋設し、かつ、残りの部分を水中に露出した状態で、当該陽極電極棒８ａおよび陰極電極棒８ｂを安定姿勢で保持することができる。
【図面の簡単な説明】
【００１３】
【図１】本考案に係る水中用活性水素水発生装置の一実施形態を示す原理的概略垂直切断正面図である。
【図２】図１の要部の平面図である。
【図３】図２のＹ−Ｙ線断面図である。
【図４】本考案に係る水中用活性水素水発生装置をフロート型にした他の実施形態を示す正面図である。
【図５】図４のＺ−Ｚ線矢視拡大図である。
【図６】図４に示す装置の一回路図である。
【考案を実施するための形態】
【００１４】
本考案に係る水中用活性水素水発生装置１の第一実施形態を、図１乃至図３に示す。これは、水中に入れた状態で、その水Ｗを電気分解して活性水素を発生させ、それによって活性水素水を作り出す装置である。電源Ｂ、例えばバッテリー６にリード線９を介して電気的に接続される電極コア８を、相平行する陽極電極棒８ａと陰極電極棒８ｂとを、同一平面上に複数本交互に並べたものを上下に複数段重ねて構成してある。また、前記陽極電極棒８ａおよび陰極電極棒８ｂの両端と前記リード線９との接続部Ｃを、非導電性合成樹脂製の埋設部材１０に埋設してある。
【００１５】
さらに、前記埋設部材１０を筒状とし、その中空部１０ａに、前記陽極電極棒８ａと陰極電極棒８ｂの両端と前記接続部Ｃを除く部分を配置してある。
【００１６】
この第一実施形態のものは、電極コア８を形成する陽極電極棒８ａおよび陰極電極棒８ｂと対応するリード線９との接続部Ｃを、非導電性合成樹脂製の埋設部材１０に埋設したので、当該接続部Ｃを水中に露出させない。これにより、接続部Ｃに錆が発生したり、電気的接続不良が発生するのを未然に防止することができる。また、漏電を防止することもできる。
【００１７】
さらに、電極コア８を、相平行する陽極電極棒８ａと陰極電極棒８ｂとを、同一平面上に複数本交互に並べたものを上下に複数段重ねて構成したので、水素水の生成能力を向上させることができる。
【００１８】
また、埋設部材１０を筒状とし、その中空部１０ａに、陽極電極棒８ａと陰極電極棒８ｂの両端を除く部分を配置したので、接続部Ｃを埋設し、かつ、残りの部分を水中に露出した状態で、当該陽極電極棒８ａおよび陰極電極棒８ｂを安定姿勢で保持することができる。
【００１９】
本考案に係る水中用活性水素水発生装置１の第二実施形態を、これは、浴槽の水中に入れた状態で、その水Ｗ（湯を含む）を電気分解して活性水素を発生させ、それによって活性水素水を作り出す装置であり、外枠体２、電源Ｂを形成するバッテリー６、充電端子７、および電極コア８を備える。
【００２０】
外枠体２は、非導電性の合成樹脂製で、頂部２ａが水上に露出する浮力を有する。バッテリー６は、外枠体２の底部に設けられ、商用電源によって充電される。なお、外枠体２に、その頂部２ａのみでなく、それより下位部分も水上に露出する浮力を持たせることができる。また、バッテリー６は、商用電源の他に、例えば、太陽光発電によって充電する構成とすることもできる。
【００２１】
この外枠体２には、浴槽の水Ｗが内部に容易に進入することができるように適宜箇所（例えば、基部３）に開口部（図示せず）を設けている。また、所定の浮力を持たせるために密閉された空気室（図示せず）を設けている。なお、本実施形態に係る外枠体２は、平面円形の基部３から、正面略台形状の胴部４を立設し、その上端に球形の頭部５を設けて構成しているが、この外枠体２の形状はこれに限定されるものではない。
【００２２】
コンセント７は、外枠体２の頂部２ａに設けられ、商用電源用のプラグ１１を差し込んでバッテリー６を充電するためのものである。電極コア８は、外枠の底部に設けられ、バッテリー６にリード線９を介して電気的に接続されている。本実施形態における電極コア８は三組設けられ、各電極コア８は、相平行する陽極電極棒８ａと陰極電極棒８ｂとを、同一平面上に二本ずつ交互に並べたものを上下に三段重ねて構成している。なお、電極コア８の数は限定されない。また、陽極電極棒８ａと陰極電極棒８ｂの同一平面上の数、および上下複数段の段数も限定されない。
【００２３】
そして、各陽極電極棒８ａおよび陰極電極棒８ｂと、それに対応するリード線９との接続部Ｃを、非導電性合成樹脂製の埋設部材１０に埋設している。また、本実施形態では、埋設部材１０を平面短尺円筒状とし、その中央部分である中空部１０ａに、陽極電極棒８ａと陰極電極棒８ｂの両端を除く部分を配置している。なお、埋設部材１０の形状は、接続部Ｃを埋設することのできる形状であれば良く、円筒状に限定されない。従って、例えば、平面四角筒状や一対の棒状とすることができる。
【００２４】
本実施形態に係る水中用活性水素水発生装置１は、電極コア８を形成する陽極電極棒８ａおよび陰極電極棒８ｂと対応するリード線９との接続部Ｃを、非導電性合成樹脂製の埋設部材１０に埋設しているので、当該接続部Ｃが水中に露出するのを阻止することができる。従って、接続部Ｃが濡れて錆が発生したり、電気的接続不良が発生するのを未然に防止することができる。また、漏電も併せて防止することもできる。
【００２５】
また、バッテリー６の充電端子であるコンセント７を、外枠体２の水上に露出する部分である頂部２ａに設けたので、当該コンセント７が濡れるのを防止することができ、錆の発生や電気的接続不良あるいは漏電を確実に防止することができる。
【００２６】
さらに、電極コア８を三組設け、各電極コア８を、陽極電極棒８ａと陰極電極棒８ｂとを、同一平面上に四本交互に並べたものを上下に三段重ねて構成しているので、優れた活性水素水生成能力を発揮させることができる。
【００２７】
また、埋設部材１０を短尺円筒状とし、その中空部１０ａに、陽極電極棒８ａと陰極電極棒８ｂの両端を除く部分を配置しているので、接続部Ｃを確実に埋設しつつ、残りの部分を水中に露出した状態で、当該陽極電極棒８ａおよび陰極電極棒８ｂを安定姿勢で保持することができる。これにより、陽極電極棒８ａと陰極電極棒８ｂａの水Ｗの中に露出している部分の間に、電気を流して水Ｗを電気分解し、この電気分解によって活性水素を発生させることができる。その結果、浴槽等の水Ｗから活性水素水を効果的に生成することができる。
【００２８】
なお、この装置１には、その基部３の底面に、脚片１５と共に、それより短い水感知センサー１２を設け、この水感知センサー１２によって浴槽の水Ｗを感知させ、その信号を制御盤１３（図６参照）に送り、制御盤１３からの信号によって電極コア８に電気を流すようにすることができる。また、外枠体２にランプ１４を設け、制御盤１３からの信号によってランプ１４を点灯させ、この装置１が作動していることを視認させることもできる。なお、電気を流す時間はタイマー１６で設定することができる。
【符号の説明】
【００２９】
１        水中用活性水素水発生装置
２        外枠体
２ａ      頂部
３        基部
４        胴部
５        頭部
６        バッテリー
７        コンセント
８        電極コア
８ａ      陽極電極棒
８ｂ      陰極電極棒
９        リード線
１０      埋設部材
１０ａ    中空部
１１      プラグ
１２      水感知センサー
１３      制御盤
１４      ランプ
１５      脚片
１６      タイマー
２０      水槽
２１      スイッチ
Ｃ        接続部
Ｗ        水
【先行技術文献】
【特許文献】
【００３０】
【特許文献１】実用新案登録第３１４３０１９号
【図１】
0003154865.tif 000003
【図２】
0003154865.tif 000004
【図３】
0003154865.tif 000005
【図４】
0003154865.tif 000006
【図５】
0003154865.tif 000007
【図６】
0003154865.tif 000008